(57)【特許請求の範囲】
【請求項１】
タインカバーの間に形成されたスリットからタインを突出させ、当該タインを回転させることによって圃場の作物をピックアップするピックアップ部と、
前記ピックアップ部でピックアップされた作物を前記タインから取り除く方向に回転部材を回転させて作物を掻き上げる掻上部と、を備え、
当該掻上部で掻き上げられた作物によってロールベールを成形するようにしたロールベーラにおいて、
前記タインの回転領域の頂部よりも前方の位置を、前記回転部材の回転領域に入れるようにそれぞれの回転領域をオーバーラップさせ、当該回転部材によって、上向きとなっているタイン上の作物を当該タインの傾斜方向に沿って掻き上げるようにしたことを特徴とするロールベーラ。
【請求項２】
前記回転部材の回転領域を、タインカバーの上面の上方に設けるようにした請求項１に記載のロールベーラ。
【発明の詳細な説明】
【技術分野】
【０００１】
本発明は、圃場の作物をピックアップしてロールベールを成形するロールベーラに関するものであり、より詳しくは、ピックアップ部に作物が絡みつかないようにしたロールベーラに関するものである。
【背景技術】
【０００２】
一般に、ロールベーラは、圃場で収穫された作物を切断し、その切断された作物から円柱状のロールベールを成形するように構成される（特許文献１など）。
【０００３】
ところで、このようなロールベーラのうち、刈り取られて圃場に放置された作物をピックアップして切断し、その切断された作物からロールベールを成形するロールベーラについて図５を用いて説明する。
【０００４】
図５において、符号５はピックアップ部であり、複数本のタイン５１を周回させることによって圃場に放置された作物をピックアップするようにしたものである。このタイン５１は、図６に示すように、タインカバー５２に設けられたスリット５３内で周回するようになっており、機体の前方部分でそのスリット５３から突出させて圃場の作物をピックアップし、また、後方部分でそのスリット５３の内側に入り込ませるようになっている。また、図５において、符号６は切断部であり、ピックアップされた作物を一定の長さにカットするようにしたものであり、符号７はロール成形部であって、切断部６で切断された作物から円柱状のロールベールを成形するようにしたものである。
【先行技術文献】
【特許文献】
【０００５】
【特許文献１】特開平７−１２３８５０号公報（図４参照）
【発明の概要】
【発明が解決しようとする課題】
【０００６】
ところで、このようなピックアップ部で作物をピックアップする場合、次のような問題を有する。
【０００７】
すなわち、圃場に放置された作物をピックアップする際、タイン５１で作物を掻き上げるようにしているが、その掻き上げられた作物は、タイン５１に載せられた状態で後方に移動する。しかるに、このようにタイン５１に載せられた状態で移動すると、図６に示すように、下向きに傾斜したタイン５１がスリット５３に入り込む際、タイン５１とともにスリット５３の内部に作物が引きずり込まれてしまう。
【０００８】
そこで、本発明は上記課題に着目してなされたもので、ピックアップ部で作物をピックアップする際、作物をタインカバーのスリット内に引きずり込ませないようにしたロールベーラを提供することを目的とする。
【課題を解決するための手段】
【０００９】
すなわち、本発明は上記課題を解決するために、タインカバーの間に形成されたスリットからタインを突出させ、当該タインを回転させることによって圃場の作物をピックアップするピックアップ部と、前記ピックアップ部でピックアップされた作物を前記タインから取り除く方向に回転部材を回転させて作物を掻き上げる掻上部と、を備え、当該掻上部で掻き上げられた作物によってロールベールを成形するようにしたロールベーラにおいて、前記タインの回転領域の頂部よりも前方の位置を、前記回転部材の回転領域に入れるようにそれぞれの回転領域をオーバーラップさせ、当該回転部材によって、上向きとなっているタイン上の作物を当該タインの傾斜方向に沿って掻き上げるようにしたものである。
【００１０】
また、このような発明において、前記回転部材の回転領域を、タインカバーの上面の上方に設けるようにする。
【発明の効果】
【００１１】
本発明によれば、タインカバーの間に形成されたスリットからタインを突出させ、当該タインを回転させることによって圃場の作物をピックアップするピックアップ部と、前記ピックアップ部でピックアップされた作物を前記タインから取り除く方向に回転部材を回転させて作物を掻き上げる掻上部と、を備え、当該掻上部で掻き上げられた作物によってロールベールを成形するようにしたロールベーラにおいて、前記タインの回転領域の頂部よりも前方の位置を、前記回転部材の回転領域に入れるようにそれぞれの回転領域をオーバーラップさせ、当該回転部材によって、上向きとなっているタイン上の作物を当該タインの傾斜方向に沿って掻き上げるようにしたので、ピックアップされた作物を確実にタインから取り除くことができ、タインがスリット内に入り込む際に作物をスリット内に引きずり込ませないようにすることができる。
【図面の簡単な説明】
【００１２】
【図１】本発明の一実施の形態におけるロールベーラの概略図
【図２】同形態におけるピックアップ部と掻上部の拡大図
【図３】同形態におけるオーバーラップ量を示す図
【図４】同形態における掻上部でタインの作物を取り除く状態図
【図５】従来例におけるロールベーラを示す図
【図６】従来例における作物がスリットに引きずり込まれた状態を示す図
【発明を実施するための形態】
【００１３】
以下、本発明の一実施の形態について図面を参照しながら説明する。
【００１４】
この実施の形態におけるロールベーラ１は、図１に示すように、タイン２２を周回させることで圃場の作物をピックアップするピックアップ部２と、そのタイン２２によってピックアップされた作物をタイン２２上から取り除くように掻き上げる掻上部３とを備えるようにしたものである。そして、特徴的に、その掻上部３を構成する回転部材３１をタインの回転領域２Ａとオーバーラップさせるように配置し、これを上向き（タイン２２の回転方向と同一方向）に回転させることによってタイン２２上から作物を取り除けるようにしたものである。以下、本実施の形態におけるロールベーラ１の構造について詳細に説明する。
【００１５】
まず、このロールベーラ１の前方側に設けられるピックアップ部２は、刈り取られて圃場に放置された作物をピックアップするようにしたものであって、図２に示すように、圃場から作物を掻き上げるタイン２２と、回転軸方向に隣接する各タイン２２の間を覆うタインカバー２３とを備えて構成されている。このタイン２２は、図２においては、回転ドラム２１の外周部分に自由端側が若干回転方向から遅れるように傾斜させた状態で取り付けられており、その回転ドラム２１を回転させることによって圃場の作物を掻き上げるようになっている。このような回転ドラム２１を回転させた場合、タイン２２は後方部分で自由端側が下方に向いた状態で回転するようになる。一方、タインカバー２３は、隣接するタイン２２とタイン２２の間に作物を入り込ませないようにしたものであって、前方部分では周回するタイン２２をスリット２４から突出させ、また、後方部分ではタイン２２をスリット２４の内側に入り込ませるようにしている。なお、ここでタイン２２を周回させる場合、回転ドラム２１を回転させることでタイン２２を周回させるようにしているが、カムを設けることによってタイン２２を起立させたままスリット２４の内側に入り込ませるような構造を用いるようにしてもよい。
【００１６】
一方、掻上部３は、このタイン２２によってピックアップされた作物をタイン２２上から取り除けるように構成されている。この掻上部３は、僅かな隙間を隔てて対向する一対の三角形状のブレードで構成された回転部材３１を備えてなり、その上方に設けられた固定刃３２との間に作物を挟み込んで切断できるようにしている。また、この回転部材３１と回転部材３１の間には、図１に示すように、回転部材３１の回転軸に接するようなスクレッパー３３が設けられており、そのスクレッパー３３によって作物をロール成形部４に排出させるようにしている。
【００１７】
ロール成形部４は、このように切断された作物から円柱状のロールベールを成形する。このロール成形部４としては種々の構成を採用することができるが、図１では、ベルト４１を円周状に周回させることで、ベルト４１上に載せられた作物によって円柱状のロールベールを成形するようにしている。なお、これ以外の方法としては、例えば、タイトバーを取り付けたチェーンを周回させてロールベールを成形する方法や、円周状に配置された複数のドラムをそれぞれ自転させることで、そのドラムの回転によってロールベールを成形する方法なども採用することができる。そして、これらのベルト４１やタイトバー、ドラムなどを回転させることで作物を自転させ、次々に排出されてくる作物を外側に巻き付けながらロールベールを大きくしていく。そして、所定の大きさになった場合、必要に応じてネット繰出部４３からネットを繰り出して外周部分に巻き付け、そのネットを切断した後、後部チャンバー４２からロールベールを排出する。
【００１８】
このような構成において、ピックアップ部２と掻上部３をオーバーラップさせた状態にについて説明する。
【００１９】
図３においては、ピックアップ部２のタイン２２の回転領域２Ａと掻上部３の回転領域３Ａとをオーバーラップさせた状態を示している。このピックアップ部２のタイン２２は、各スリット２４から突出するように設けられており、一方、掻上部３の回転部材３１は、そのタイン２２とタイン２２の間（図２参照）であって回転領域２Ａ、３Ａがオーバーラップする位置に設けられている。これにより、それぞれのタイン２２や回転部材３１を回転させても、それぞれを干渉させないようにしている。このオーバーラップ量としては、タイン２２がスリット２４から突出している部分の長さに対して、先端側から３０％〜１００％の範囲内で回転領域２Ａ、３Ａをオーバーラップさせるようにしておくのが好ましい。すなわち、タイン２２の先端側だけをオーバーラップさせていると、タイン２２の付け根部分に存在する作物がスリット２４の内側に引きずり込まれてしまい、回転ドラム２１に巻き付いてしまう可能性がある。このため、先端側から３０％〜１００％の範囲内でオーバーラップさせるようにする。
【００２０】
また、このようにタイン２２から作物を取り除く場合、タイン２２の自由端側が下向きになっている状態で作物を取り除こうとすると、タイン２２の傾斜角度に対して回転部材３１を垂直な方向に当ててしまい、タイン２２や回転ドラム２１に大きな負荷を与えてしまう。そのため、図４に示すように、タイン２２の自由端側が上向きとなっている状態で上向きに回転部材３１を当て、これによって、タイン２２で運ばれてきた作物を斜め上方向（図中の矩形矢印方向）に取り除けるようにしておく。
【００２１】
次に、このように構成されたピックアップ部２や掻上部３における作用について説明する。
【００２２】
まず、ロールベーラ１を走行させると、ピックアップ部２によって圃場の作物がピックアップされる。このとき、上向きに回転するタイン２２によって作物が圃場から掻き上げられ、その作物は、タイン２２に載せられた状態でタインカバー２３の表面に沿って移動する。一方、そのタイン２２は、タインカバー２３の後方側でスリット２４の内側に入り込んで、再び圃場の作物をピックアップできるようにする。
【００２３】
一方、このタイン２２によってピックアップされた作物は、タイン２２がスリット２４の内側に入り込む直前で三角形状をなす回転部材３１に接触する。そして、そこで上向きに回転する回転部材３１によって斜め上方向に作物を掻き上げられ、その上方に設けられた固定刃３２との間に作物を挟み込んで切断する。
【００２４】
そして、このように切断された作物を、スクレッパー３３の上面に沿ってロール成形部４まで排出する。
【００２５】
ロール成形部４側では、このように切断された作物によってロールベールを成形する。このロールベールを成形する場合、円周状に周回するベルト４１やタイトバー、あるいはドラムなどの上に載せ、そこで作物を自転させながら順次排出されてくる作物を外側に巻き付けて大きくしていく。そして、ロール径が所定の大きさになった場合、ネット繰出部４３からネットを繰り出してロールベールとベルト４１の隙間に入り込ませ、ネットを巻き付けて切断した後、後部チャンバー４２を開放させてロールベールを放出する。
【００２６】
このように上記実施の形態によれば、タインカバー２３の間に形成されたスリット２４からタイン２２を突出させ、当該タイン２２を回転させることによって圃場の作物をピックアップするピックアップ部２と、前記ピックアップ部２でピックアップされた作物を前記タイン２２から取り除く方向に回転部材３１を回転させて作物を掻き上げる掻上部３と、を備え、当該掻上部３で掻き上げられた作物によってロールベールを成形するようにしたロールベーラ１において、前記タイン２２の回転領域の頂部よりも前方の位置を、前記回転部材３１の回転領域に入れるようにそれぞれの回転領域をオーバーラップさせ、当該回転部材３１によって、上向きとなっているタイン２２上の作物を当該タイン２２の傾斜方向に沿って掻き上げるようにしたので、ピックアップされた作物を確実にタイン２２から取り除くことができ、作物をスリット２４内に入り込ませることを防止することができる。
【００２７】
なお、本発明は上記実施の形態に限定されることなく種々の態様で実施することができる。
【００２８】
例えば、上記実施の形態では、掻上部３に切断部の機能も持たせるようにしたが、このような切断部の機能を有さない構成としてもよい。この場合、例えば、ブラシや金属線などのような線状部材を上向きに回転させて別途設けられた切断部に作物を供給させるようにしてもよい。
【００２９】
また、上記実施の形態では、回転部材３１を上向きに回転させて固定刃３２で切断するようにしたが、その回転部材３１自体に刃を設けて作物を切断できるようにしてもよい。
【符号の説明】
【００３０】
１・・・ロールベーラ
２・・・ピックアップ部
２１・・・回転ドラム
２２・・・タイン
２３・・・タインカバー
２４・・・スリット
３・・・掻上部
３１・・・回転部材
３２・・・固定刃
３３・・・スクレッパー
４・・・ロール成形部
４１・・・ベルト
４２・・・後部チャンバー
４３・・・ネット繰出部
【図１】
0006591803.tif 000002
【図２】
0006591803.tif 000003
【図３】
0006591803.tif 000004
【図４】
0006591803.tif 000005
【図５】
0006591803.tif 000006
【図６】
0006591803.tif 000007